(57)【要約】【課題】あたかもハンモックの上で揺られているような心地良い感覚を得ることが可能であって、リラックス効果が高く、しかも利用者が座って本を読んだりテレビを観たりパソコンを操作したりするのに適した安定した状態に切り替えることができ、不用意に後ろに倒れる虞がなく安全性が高い座椅子を提供すること。【解決手段】座面部１２を構成する座フレーム１と、背もたれ部１３を構成する傾動可能な背もたれフレーム２と、座フレーム１の後端部に連結されたストッパーフレーム３を備えており、座フレーム１は、床面に向けて凸の円弧状に湾曲する湾曲部１１を有しており、ストッパーフレーム３は、座フレーム１の後端部から前記湾曲の方向に略沿うように延びる第１角度と、前記座フレームの後端部から下向きに折れ曲がる第２角度とに変更可能である。【選択図】図１
2013034789.tif 000002
【特許請求の範囲】
【請求項１】
座面部を構成する座フレームと、
背もたれ部を構成する傾動可能な背もたれフレームと、
前記座フレームの後端部に連結されたストッパーフレームを備えており、
前記座フレームは、床面に向けて凸の円弧状に湾曲する湾曲部を有しており、
前記ストッパーフレームは、前記座フレームの後端部から前記湾曲の方向に略沿うように延びる第１角度と、前記座フレームの後端部から下向きに折れ曲がる第２角度とに変更可能であることを特徴とするハンモック座椅子。
【請求項２】
前記背もたれフレームの下端部は、前記座フレームの後端部側に該座フレームに対する傾斜角度を変更可能に連結されており、
前記背もたれフレームを前記座フレームに対して下向きに傾斜させることにより、前記座フレームと前記背もたれフレームとが全体として略円弧状を呈することを特徴とする請求項１記載のハンモック座椅子。
【請求項３】
前記背もたれフレームの上端部に連結された頭部フレームを有し、
前記頭部フレームは、前記背もたれフレームの後端部から略直線状に延びる第１角度と、前記背もたれフレームの後端部から前向きに折れ曲がる第２角度とに変更可能となるように、前記背もたれフレームに対して連結されていることを特徴とする請求項１又は２記載のハンモック座椅子。
【請求項４】
前記背もたれフレームは、
前記座フレームに対して略直角に立ち上がる第１角度と、前記座フレームの前記湾曲の方向に略沿うように又は前記湾曲の方向と略平行に延びる第２角度と、前記第１角度と前記第２角度の間の第３角度に変更可能であることを特徴とする請求項１乃至３いずれかに記載のハンモック座椅子。
【請求項５】
前記座フレームは、前記湾曲部を有する第１座フレームと、この第１座フレームの上部に固定された第２座フレームとからなり、
前記ストッパーフレームは、前記第１座フレームの後端部に連結されており、
前記背もたれフレームの下端部は、前記第２座フレームの後端部側に連結されていることを特徴とする請求項１乃至４いずれかに記載のハンモック座椅子。
【発明の詳細な説明】
【技術分野】
【０００１】
本発明は、あたかもハンモックの上で揺られているような心地良い感覚を得ることができ、利用者に対して高いリラックス効果を与えることが可能であるハンモック座椅子に関する。
【背景技術】
【０００２】
従来、座面部と背もたれ部とを有しており、座面部に対する背もたれ部の角度を自在に変更可能であるリクライニング機能を有する座椅子が知られている。（例えば、下記特許文献１参照）
【０００３】
このような座椅子は、背もたれ部の角度を変更することにより、利用者が座ったままで背もたれ部を倒して姿勢を変更することができるため、背もたれ部の角度が固定されている座椅子に比べると非常に楽である。
しかしながら、背もたれ部が倒れるだけでは、姿勢は楽になるものの、心地良いという程の感覚は生じないため、充分なリラックス効果が得られないという問題があった。
【０００４】
一方、利用者がリラックス効果を得ることができる椅子としては、ロッキングチェアが知られている。
ロッキングチェアは、床面に接する脚部が円弧状に形成されていることにより、椅子を前後に揺動させて身体を揺らすことができ、これにより心地良いという感覚が生じるため、リラックス効果を得ることができる。
【０００５】
このことから、座椅子のリラックス効果を高めるための方法として、ロッキングチェアの脚部を座椅子に適用するということも考えられる。
しかしながら、単にロッキングチェアの脚部を座椅子に適用した場合には、座椅子は常に揺動する不安定なものとなる。
このような座椅子は、利用者の姿勢が安定しないことから、姿勢の安定が求められる作業（例えば、座って本を読んだり、テレビを観たり、パソコンを操作したりする作業）を行うことが困難であり、また作業中に不用意に身体が後ろに倒れる虞があり危険である。
【先行技術文献】
【特許文献】
【０００６】
【特許文献１】実用新案登録第３００６０７２号公報
【発明の概要】
【発明が解決しようとする課題】
【０００７】
本発明は、上記したような従来技術の問題点を解決すべくなされたものであって、あたかもハンモックの上で揺られているような心地良い感覚を得ることが可能であって、リラックス効果が高く、しかも利用者が座って本を読んだりテレビを観たりパソコンを操作したりするのに適した安定した状態に切り替えることができ、不用意に後ろに倒れる虞がなく安全性が高いハンモック座椅子を提供するものである。
【課題を解決するための手段】
【０００８】
本発明は、上記課題を解決するための手段として、下記発明を提供する。
請求項１に係る発明は、座面部を構成する座フレームと、背もたれ部を構成する傾動可能な背もたれフレームと、前記座フレームの後端部に連結されたストッパーフレームを備えており、前記座フレームは、床面に向けて凸の円弧状に湾曲する湾曲部を有しており、前記ストッパーフレームは、前記座フレームの後端部から前記湾曲の方向に略沿うように延びる第１角度と、前記座フレームの後端部から下向きに折れ曲がる第２角度とに変更可能であることを特徴とするハンモック座椅子に関する。
【０００９】
請求項２に係る発明は、前記背もたれフレームの下端部は、前記座フレームの後端部側に該座フレームに対する傾斜角度を変更可能に連結されており、
前記背もたれフレームを前記座フレームに対して下向きに傾斜させることにより、前記座フレームと前記背もたれフレームとが全体として略円弧状を呈することを特徴とする請求項１記載のハンモック座椅子に関する。
【００１０】
請求項３に係る発明は、前記背もたれフレームの上端部に連結された頭部フレームを有し、前記頭部フレームは、前記背もたれフレームの後端部から略直線状に延びる第１角度と、前記背もたれフレームの後端部から前向きに折れ曲がる第２角度とに変更可能となるように、前記背もたれフレームに対して連結されていることを特徴とする請求項１又は２記載のハンモック座椅子に関する。
【００１１】
請求項４に係る発明は、前記背もたれフレームは、前記座フレームに対して略直角に立ち上がる第１角度と、前記座フレームの前記湾曲の方向に略沿うように又は前記湾曲の方向と略平行に延びる第２角度と、前記第１角度と前記第２角度の間の第３角度に変更可能であることを特徴とする請求項１乃至３いずれかに記載のハンモック座椅子に関する。
【００１２】
請求項５に係る発明は、前記座フレームは、前記湾曲部を有する第１座フレームと、この第１座フレームの上部に固定された第２座フレームとからなり、前記ストッパーフレームは、前記第１座フレームの後端部に連結されており、前記背もたれフレームの下端部は、前記第２座フレームの後端部側に連結されていることを特徴とする請求項１乃至４いずれかに記載のハンモック座椅子に関する。
【発明の効果】
【００１３】
請求項１に係る発明によれば、背もたれフレームを倒してストッパーフレームを第１角度に設定した時には、利用者は寝た姿勢にて座椅子を座フレームの湾曲により揺動させることができ、あたかもハンモックの上で揺られているような心地良い感覚を得ることができ、高いリラックス効果を得ることができる。
一方、背もたれフレームを立ててストッパーフレームを第２角度に設定した時には、利用者が背中を立てた姿勢にてストッパーフレームにより座椅子の揺動が阻止されるため、利用者が座って本を読んだりパソコンを操作したりするのに適した安定状態となり、座椅子が不用意に後ろに倒れる虞がなく安全である。
【００１４】
請求項２に係る発明によれば、背もたれフレームを座フレームに対して下向きに傾斜させることにより、座フレームと背もたれフレームとが全体として略円弧状を呈することから、座椅子を全体としてハンモックのような形状とすることができ、あたかもハンモックの上で揺られているような心地良い感覚をより確実に得ることが可能となる。
【００１５】
請求項３に係る発明によれば、頭部フレームを第１角度に設定した時には、背もたれフレームと頭部フレームとが略直線状になるため、利用者の首部に頭部フレームが当たらず頭部を自然な状態にすることができる。
一方、頭部フレームを第２角度に設定した時には、背もたれフレームから頭部フレームが前向きに折れ曲がるため、利用者の首部を頭部フレームが支える形となり、例えば座椅子に座って長時間テレビを観る場合などに首の疲労を低減することができる。
【００１６】
請求項４に係る発明によれば、背もたれフレームを第１角度に設定した時には、利用者は背筋を伸ばした姿勢で座ることができ、読書をする場合などに好適である。背もたれフレームを第２角度に設定した時には、座フレームと背もたれフレームとを全体として略円弧状とすることができ、ハンモックの上で揺られているような心地良い感覚を得ることが可能となる。背もたれフレームを第３角度に設定した時には、利用者がやや後ろにもたれた姿勢で座ることができ、テレビを観る場合などに好適である。
【００１７】
請求項５に係る発明によれば、座面の高さを高くすることができ、利用者の座り心地が向上し、リラックス効果を高めることが可能となる。
【図面の簡単な説明】
【００１８】
【図１】本発明に係るハンモック座椅子の第一実施形態を示す図であり、（ａ）は外観斜視図、（ｂ）は内部のフレームを示す斜視図である。
【図２】第一実施形態のハンモック座椅子の使用方法の一例（状態Ａ）を示す図であって、（ａ）は利用者を含む外観図、（ｂ）はフレームの図である。
【図３】第一実施形態のハンモック座椅子の使用方法の一例（状態Ｂ）を示す図であって、（ａ）は利用者を含む外観図、（ｂ）はフレームの図である。
【図４】第一実施形態のハンモック座椅子の使用方法の一例（状態Ｃ）を示す図であって、（ａ）は利用者を含む外観図、（ｂ）はフレームの図である。
【図５】本発明に係るハンモック座椅子の第二実施形態を示す図であり、（ａ）は外観斜視図、（ｂ）は内部のフレームを示す斜視図である。
【発明を実施するための形態】
【００１９】
以下、本発明に係るハンモック座椅子の好適な実施形態について、図面を参照しながら説明する。
図１は本発明に係るハンモック座椅子の第一実施形態を示す図であり、（ａ）は外観斜視図、（ｂ）は内部のフレームを示す斜視図である。
【００２０】
本発明に係るハンモック座椅子は、金属パイプ等の高剛性材料からなるフレーム（１０）と、フレームの周囲を覆うポリウレタン等のクッション材（内部にあるため図に現れず）と、クッション材の表面を覆う布や皮革等の表皮材（２０）とから構成されている。
【００２１】
フレーム（１０）は、座面部（１２）を構成する座フレーム（１）と、背もたれ部（１３）を構成する傾動可能な背もたれフレーム（２）と、座フレーム（１）の後端部に連結されたストッパーフレーム（３）と、背もたれフレーム（２）の上端部に連結された頭部フレーム（４）とを組み合わせて構成されている。
【００２２】
座フレーム（１）は、図１（ｂ）の矢印に示すように、側面視において、床面に向けて凸の円弧状に湾曲する湾曲部（１１）を有しており、その下面が表皮材（２０）及びクッション材を介して床面に接する。
【００２３】
背もたれフレーム（２）は、側面視において直線状に形成されており、その下端部が座フレーム（１）の後端部近傍に第１連結部材（５）を介して連結されている。
第１連結部材（５）は、椅子等のリクライニング機構に用いられている公知のリクライニングギア（例えば、向陽技研株式会社製のＫＳＤシリーズ等）からなり、利用者が力を加えることにより多段階（例えば４段階）に角度調整が可能なものである。リクライニングギアを使用することにより、座フレーム（１）に対する背もたれフレーム（２）の傾斜角度を変更することが可能となっている。
【００２４】
ストッパーフレーム（３）は、座フレーム（１）の後端部に第２連結部材（６）を介して連結されている。
第２連結部材（６）は、椅子等のリクライニング機構に用いられている公知のリクライニングギア（例えば、向陽技研株式会社製のＫＳＤシリーズ等）からなり、利用者が力を加えることにより多段階（例えば４段階）に角度調整が可能なものである。リクライニングギアを使用することにより、座フレーム（１）に対するストッパーフレーム（３）の傾斜角度を変更することが可能となっている。
ストッパーフレーム（３）は他のフレームと同様に、クッション材及び表皮材に覆われている。図１〜図５の（ａ）において、ストッパーフレーム（３）が内蔵されている部分を符号（３０）で示している。
【００２５】
頭部フレーム（４）は、背もたれフレーム（２）の上端部に第３連結部材（７）を介して連結されている。
第３連結部材（７）は、椅子等のリクライニング機構に用いられている公知のリクライニングギア（例えば、向陽技研株式会社製のＫＳ−１２／ＫＳ−１６ＨＧ等）からなり、利用者が力を加えることにより多段階（例えば１４段階）に角度調整が可能なものである。リクライニングギアを使用することにより、背もたれフレーム（２）に対する頭部フレーム（４）の傾斜角度を変更することが可能となっている。
【００２６】
図２〜図４は第一実施形態のハンモック座椅子の使用方法の一例を示す図であって、各図において（ａ）は利用者を含む外観図、（ｂ）はフレームの図である。
【００２７】
図２は、背もたれフレーム（２）を座フレーム（１）に対して略直角に立ち上がる第１角度に設定し、ストッパーフレーム（３）を座フレーム（１）の後端部から下向きに折れ曲がる第２角度に設定し、頭部フレーム（４）を背もたれフレーム（２）の後端部から略直線状に延びる第１角度に設定した状態（以下、「状態Ａ」と称す）である。
【００２８】
状態Ａでは、背もたれフレーム（２）により利用者（Ｒ）は背中を立てた状態となり、ストッパーフレーム（３）により座椅子の後方への揺動が阻止される。そのため、利用者（Ｒ）が座って本を読んだりパソコンを操作したりするのに適した安定状態となり、座椅子が不用意に後ろに倒れる虞がなく安全である。
【００２９】
図３は、背もたれフレーム（２）を座フレーム（１）に対して斜め方向に立ち上がる第３角度に設定し、ストッパーフレーム（３）を座フレーム（１）の後端部から下向きに折れ曲がる第２角度に設定し、頭部フレーム（４）を背もたれフレーム（２）の後端部から前向きに折れ曲がる第２角度に設定した状態（以下、「状態Ｂ」と称す）である。
【００３０】
状態Ｂでは、傾斜した背もたれフレーム（２）により利用者（Ｒ）は背中をやや後方に傾けた状態となり、ストッパーフレーム（３）により座椅子の後方への揺動が阻止されるとともに、利用者（Ｒ）の首部を頭部フレーム（４）が支える形となる。そのため、利用者がやや後ろにもたれた姿勢で首を支持された状態で安定して座ることができ、長時間テレビを観る場合などに適した状態となる。
【００３１】
図４は、背もたれフレーム（２）を座フレーム（１）に対して該座フレームの湾曲方向に略沿うように延びる第２角度に設定し、ストッパーフレーム（３）を座フレーム（１）の後端部から該座フレームの湾曲の方向に略沿うように延びる第１角度に設定し、頭部フレーム（４）を背もたれフレーム（２）の後端部から略直線状に延びる第１角度に設定した状態（以下、「状態Ｃ」と称す）である。
【００３２】
状態Ｃでは、座フレーム（１）と背もたれフレーム（２）とが全体として略円弧状を呈することから、座椅子を全体としてハンモックのような形状とすることができ、利用者（Ｒ）はあたかもハンモックの上で揺られているような心地良い感覚を得ることが可能となる。
【００３３】
図５は本発明に係るハンモック座椅子の第二実施形態を示す図であり、（ａ）は外観斜視図、（ｂ）は内部のフレームを示す斜視図である。
以下、第二実施形態のハンモック座椅子について、上記第一実施形態のものとは異なる構成を中心に説明し、同じ構成には同じ符号を付して説明を省略する。
【００３４】
第二実施形態のハンモック座椅子は、座フレーム（１）が、床面に向けて凸の円弧状に湾曲する湾曲部（１１）を有する第１座フレーム（１ａ）と、この第１座フレーム（１ａ）の上部に固定された第２座フレーム（１ｂ）とからなる。
第２座フレーム（１ｂ）は、第１座フレーム（１ａ）から上方に間隔をあけて固定されている。座面部（１２）は、第１座フレーム（１ａ）及び第２座フレーム（１ｂ）の両方をクッション材及び表皮材で覆って形成されているため、第一実施形態のものより厚くなり座面が高くなっている。
第１座フレーム（１ａ）は側面視において湾曲部（１１）を有しているが、第２座フレーム（１ｂ）は側面視において略直線状に形成されている。
【００３５】
背もたれフレーム（２）の下端部は、第２座フレーム（１ｂ）の後端部に第１連結部材（５）を介して連結されている。
第１連結部材（５）は、上述した通り多段階（例えば４段階）に角度調整が可能なリクライニングギアからなり、これによって第２座フレーム（１ｂ）に対する背もたれフレーム（２）の傾斜角度を変更することが可能となっている。
【００３６】
ストッパーフレーム（３）は、第１座フレーム（１ａ）の後端部に第２連結部材（６）を介して連結されている。
第２連結部材（６）は、上述した通り多段階（例えば４段階）に角度調整が可能なリクライニングギアからなり、これによって第１座フレーム（１ａ）に対するストッパーフレーム（３）の傾斜角度を変更することが可能となっている。
【００３７】
第二実施形態のハンモック座椅子は、頭部フレーム（４）を備えていないが、上記第一実施形態のように、背もたれフレーム（２）の上端部に頭部フレーム（４）を第３連結部材（７）を介して連結してもよい。
【００３８】
第二実施形態のハンモック座椅子は、座フレーム（１）が、第１座フレーム（１ａ）とその上部に設けられた第２座フレーム（１ｂ）とからなり、利用者は第２座フレーム（１ｂ）の上方に座ることになるため、第一実施形態のものに比べて座面の高さが高くなる。そのため、利用者の座り心地が向上し、リラックス効果を高めることが可能となる。
【００３９】
第二実施形態のハンモック座椅子も、上記第一実施形態にて図２〜図４で示した３種類の形態（状態Ａ、状態Ｂ、状態Ｃ）と同様の、３種類の形態（状態Ａ’、状態Ｂ’、状態Ｃ’）に変形することができる。（図示略）
【００４０】
状態Ａ’では、背もたれフレーム（２）を第２座フレーム（１ｂ）に対して略直角に立ち上がる第１角度に設定し、ストッパーフレーム（３）を第１座フレーム（１ａ）の後端部から下向きに折れ曲がる第２角度に設定する。
この場合、背もたれフレーム（２）により利用者は背中を立てた状態となり、ストッパーフレーム（３）により座椅子の後方への揺動が阻止される。そのため、利用者が座って本を読んだりパソコンを操作したりするのに適した安定状態となり、座椅子が不用意に後ろに倒れる虞がなく安全である。
【００４１】
状態Ｂ’では、背もたれフレーム（２）を第２座フレーム（１ｂ）に対して斜め方向に立ち上がる第３角度に設定し、ストッパーフレーム（３）を第１座フレーム（１ａ）の後端部から下向きに折れ曲がる第２角度に設定する。
この場合、傾斜した背もたれフレーム（２）により利用者は背中をやや後方に傾けた状態となり、ストッパーフレーム（３）により座椅子の後方への揺動が阻止される。そのため、長時間テレビを観る場合などに適した状態となる。
【００４２】
状態Ｃ’では、背もたれフレーム（２）を第２座フレーム（１ｂ）に対して傾斜させて第１座フレーム（１ａ）の湾曲方向に略平行に延びる第２角度に設定し、ストッパーフレーム（３）を第１座フレーム（１ａ）の後端部から該第１座フレームの湾曲の方向に略沿うように延びる第１角度に設定する。
この場合、座フレーム（１）（第１座フレーム（１ａ）及び第２座フレーム（１ｂ））と背もたれフレーム（２）とが全体として略円弧状を呈することから、座椅子を全体としてハンモックのような形状とすることができ、利用者はあたかもハンモックの上で揺られているような心地良い感覚を得ることが可能となる。
【００４３】
上記した第一実施形態及び第二実施形態のハンモック座椅子はいずれも、利用者が座った状態で操作できる位置（座面の後方近傍）にストッパーフレーム（３）が存在している。そのため、利用者は、座ったままの状態でストッパーフレーム（３）を手で上下に押して操作する（第１角度と第２角度を変更する）ことができ、状態Ａから状態Ｃ又は状態Ａ’から状態Ｃ’への姿勢変化を容易に行うことが可能となる。
【００４４】
本発明に係るハンモック座椅子の構成は、上記した第一実施形態及び第二実施形態に限定されるものではなく、特許請求の範囲を逸脱しない範囲で形状や構造等を適宜変更することが可能である。例えば、肘掛け部を設けたり、マッサージ装置を取り付けたりしてもよい。また、背もたれ部の傾斜角度を変更するリクライニング機構を公知のレバー式（レバーを引き上げると傾斜角度を調整可能な状態（フリーな状態）となり、レバーを下げると角度が固定される方式）としてもよい。また、フレームの具体的形状や構造は図示例のものに限定されない。
【産業上の利用可能性】
【００４５】
本発明に係るハンモック座椅子は、普通の座椅子として使用することもできるし、ハンモックのような形態として使用することもできるため、特に高いリラックス効果を求める利用者に対して好適である。
【符号の説明】
【００４６】
１      座フレーム
１ａ    第１座フレーム
１ｂ    第２座フレーム
２      背もたれフレーム
３      ストッパーフレーム
５      第１連結部材
６      第２連結部材
７      第３連結部材
１０    フレーム
１１    湾曲部
１２    座面部
１３    背もたれ部
２０    表皮材
Ｒ      利用者
【図１】
2013034789.tif 000003
【図２】
2013034789.tif 000004
【図３】
2013034789.tif 000005
【図４】
2013034789.tif 000006
【図５】
2013034789.tif 000007